(57)【要約】【課題】Ｈ形断面の大梁と小梁との間に、簡略化された施工工程で曲げモーメントを伝達可能な接合部を形成する。【解決手段】Ｈ形断面を有する大梁と、Ｈ形断面を有し大梁に交差する方向に延びる小梁の端部とを連結するシアプレートを含む小梁端接合構造であって、小梁のウェブの板面に摩擦接合される板面と、シアプレートの端面に面接触する端面とを有する補強プレートを備える小梁端接合構造が提供される。また、Ｈ形断面を有する大梁と、Ｈ形断面を有し大梁に交差する方向に延びる小梁の端部とを連結するシアプレートを含む小梁端接合構造であって、シアプレートの板面に摩擦接合される板面と、小梁のウェブの端面に面接触する端面とを有する補強プレートを備える小梁端接合構造が提供される。【選択図】図３
2019190137.tif 000002
【特許請求の範囲】
【請求項１】
Ｈ形断面を有する大梁と、Ｈ形断面を有し前記大梁に交差する方向に延びる小梁の端部とを連結するシアプレートを含む小梁端接合構造であって、
前記小梁のウェブの板面に摩擦接合される板面と、前記シアプレートの端面に面接触する端面とを有する補強プレートを備える小梁端接合構造。
【請求項２】
前記補強プレートの端面は、前記シアプレートの端面の下端側の少なくとも一部に面接触する、請求項１に記載の小梁端接合構造。
【請求項３】
Ｈ形断面を有する大梁と、Ｈ形断面を有し前記大梁に交差する方向に延びる小梁の端部とを連結するシアプレートを含む小梁端接合構造であって、
前記シアプレートの板面に摩擦接合される板面と、前記小梁のウェブの端面に面接触する端面とを有する補強プレートを備える小梁端接合構造。
【請求項４】
前記補強プレートの端面は、前記小梁のウェブの端面の下端側の少なくとも一部に面接触する、請求項３に記載の小梁端接合構造。
【請求項５】
前記小梁は、前記大梁および前記小梁の上に形成されるコンクリート床スラブに接合される、請求項１から請求項４のいずれか１項に記載の小梁端接合構造。
【請求項６】
Ｈ形断面を有する大梁に、Ｈ形断面を有し前記大梁に交差する方向に延びる小梁の端部を、シアプレートを介して接合する工程と、
前記大梁および前記小梁の上にコンクリート床スラブを形成する工程と、
前記コンクリート床スラブが形成された後に、補強プレートの端面を前記シアプレートの端面に面接触させながら前記補強プレートの板面を前記小梁のウェブの板面に摩擦接合する工程と
を含む、小梁端接合構造の施工方法。
【請求項７】
Ｈ形断面を有する大梁に、Ｈ形断面を有し前記大梁に交差する方向に延びる小梁の端部を、シアプレートを介して接合する工程と、
前記大梁および前記小梁の上にコンクリート床スラブを形成する工程と、
前記コンクリート床スラブが形成された後に、補強プレートの端面を前記小梁のウェブの端面に面接触させながら前記補強プレートの板面を前記シアプレートの板面に摩擦接合する工程と
を含む、小梁端接合構造の施工方法。
【発明の詳細な説明】
【技術分野】
【０００１】
本発明は、小梁端接合構造、および小梁端接合構造の施工方法に関する。
【背景技術】
【０００２】
従来、大梁（支持部材）に小梁（梁）の端部を接合した小梁端接合構造における大梁と小梁との間の接合部は、一般的に剛接合またはピン接合として設計される（剛接合およびピン接合については、例えば欧州設計基準（Eurocode3-Part 1-8）に定義されている）。例えば、いずれもＨ形鋼で構成される大梁と小梁との間の剛接合の接合部では、小梁のフランジが大梁に溶接またはボルト接合されるとともに、小梁のウェブが大梁に溶接されたシアプレートにボルト接合される。一方、ピン接合の接合部では、小梁のウェブが大梁に溶接したシアプレートにボルト接合されるが、小梁のフランジは大梁に接合されない。この場合、コンクリート床スラブの重量や積載荷重、仕上げ材の重量など、床スラブを介して小梁に作用する鉛直荷重によって、小梁のウェブのボルト接合部にはすべりが生じ、接合部は曲げモーメントを伝達しないピン接合部の挙動を示す。
【０００３】
このような大梁と小梁との間の接合部に関する技術として、例えば、特許文献１には、大梁と小梁とをガセットプレートおよび高力ボルトによってピン接合するとともに、大梁に溶接されたスプライスプレートを小梁の下面に高力ボルト接合し、大梁および小梁の上面に連続する床スラブを配置する技術が記載されている。これによって、梁の耐荷重を維持しながら施工性を向上することができる。また、特許文献２には、逆Ｌ字形の側面形状を有する垂直ガセット（スティフナー）を大梁の上下フランジ間とウェブに溶接し、垂直ガセットを挟んで小梁下フランジ位置にＣ字形の水平スティフナーを垂直ガセットおよび大梁ウェブに溶接し、水平スティフナー端部と小梁端部下フランジとを溶接し、さらに大梁上フランジと小梁端部上フランジとを溶接する技術が記載されている。これによって、連続小梁接合の施工を効率化し、小梁サイズを低減することができる。
【先行技術文献】
【特許文献】
【０００４】
【特許文献１】特開２０１７−５３１０２号公報
【特許文献２】特開２０１５−６８００５号公報
【発明の概要】
【発明が解決しようとする課題】
【０００５】
上記の特許文献１および特許文献２に記載された技術は、大梁と小梁との間を半剛接合（セミリジッド接合）または剛接合（リジッド接合）の接合部とすることによって、ピン接合の接合部とする場合に比べて小梁の変形を低減することで小梁の断面を小さくして軽量化することを可能にする。しかしながら、これらの技術では、大梁に予め溶接されたガセットプレートまたはスティフナーに小梁の下フランジを接合するため、大梁と小梁との設置高さを合わせる必要があり、高さ方向の建方誤差が許容されにくいという点で使いやすいものではなかった。また、大梁に小梁のフランジを直接溶接してもよいが、この場合は現場での溶接工程が追加的に発生し、また大梁と小梁との間隔を所定の範囲に収める必要があるため、水平方向の建方誤差が許容されにくい。
【０００６】
そこで、本発明は、Ｈ形断面の大梁と小梁との間に、簡略化された施工工程で曲げモーメントを伝達可能な接合部を形成することが可能な、新規かつ改良された小梁端接合構造、および小梁端接合構造の施工方法を提供することを目的とする。
【課題を解決するための手段】
【０００７】
本発明のある観点によれば、Ｈ形断面を有する大梁と、Ｈ形断面を有し大梁に交差する方向に延びる小梁の端部とを連結するシアプレートを含む小梁端接合構造であって、小梁のウェブの板面に摩擦接合される板面と、シアプレートの端面に面接触する端面とを有する補強プレートを備える小梁端接合構造が提供される。
上記の構成によれば、小梁の端部に生じる曲げモーメントは、小梁のウェブの板面と補強プレートの板面との間の摩擦接合およびシアプレートの端面と補強プレートの端面との面接触を介して、小梁からシアプレートに伝達される。これにより、曲げモーメントを伝達可能な接合部を形成できるのに加えて、小梁のフランジについては大梁側に接合しなくてよいため、建方誤差が比較的大きく許容され、また現場での溶接工程が不要であるという点で施工工程が簡略化される。
また、本発明の別の観点によれば、Ｈ形断面を有する大梁と、Ｈ形断面を有し大梁に交差する方向に延びる小梁の端部とを連結するシアプレートを含む小梁端接合構造であって、シアプレートの板面に摩擦接合される板面と、小梁のウェブの端面に面接触する端面とを有する補強プレートを備える小梁端接合構造が提供される。
上記の構成によれば、小梁の端部に生じる曲げモーメントは、小梁のウェブの端面と補強プレートの端面との間の面接触およびシアプレートの板面と補強プレートの板面との摩擦接合を介して、小梁からシアプレートに伝達される。これにより、曲げモーメントを伝達可能な接合部を形成できるのに加えて、小梁のフランジについては大梁側に接合しなくてよいため、建方誤差が比較的大きく許容され、また現場での溶接工程が不要であるという点で施工工程が簡略化される。
【０００８】
上記の小梁端接合構造において、補強プレートが小梁のウェブの板面に摩擦接合される板面と、シアプレートの端面に面接触する端面とを有する場合、補強プレートの端面は、シアプレートの端面の下端側の少なくとも一部に面接触してもよい。また、補強プレートがシアプレートの板面に摩擦接合される板面と、小梁のウェブの端面に面接触する端面とを有する場合、補強プレートの端面は、小梁のウェブの端面の下端側の少なくとも一部に面接触してもよい。
さらに、上記の小梁端接合構造において、小梁は、大梁および小梁の上に形成されるコンクリート床スラブに接合されてもよい。
【０００９】
本発明のさらに別の観点によれば、Ｈ形断面を有する大梁に、Ｈ形断面を有し大梁に交差する方向に延びる小梁の端部を、シアプレートを介して接合する工程と、大梁および小梁の上にコンクリート床スラブを形成する工程と、コンクリート床スラブが形成された後に、補強プレートの端面をシアプレートの端面に面接触させながら補強プレートの板面を小梁のウェブの板面に摩擦接合する工程とを含む、小梁端接合構造の施工方法が提供される。
また、本発明のさらに別の観点によれば、Ｈ形断面を有する大梁に、Ｈ形断面を有し大梁に交差する方向に延びる小梁の端部を、シアプレートを介して接合する工程と、大梁および小梁の上にコンクリート床スラブを形成する工程と、コンクリート床スラブが形成された後に、補強プレートの端面を小梁のウェブの端面に面接触させながら補強プレートの板面をシアプレートの板面に摩擦接合する工程とを含む、小梁端接合構造の施工方法が提供される。
上記の工程によれば、補強プレートが建物完成後の積載荷重や仕上げ材の重量などの荷重によって生じる鉛直荷重のために小梁の端部に生じる曲げモーメントを伝達する一方で、コンクリート床スラブの自重によって生じる曲げモーメントには関与しない。従って、補強プレートを小梁またはシアプレートに摩擦接合するための構造を簡略化することができる。
【図面の簡単な説明】
【００１０】
【図１】本発明の第１の実施形態に係る小梁端接合構造の施工工程を示す図である。
【図２】本発明の第１の実施形態に係る小梁端接合構造の施工工程を示す図である。
【図３】本発明の第１の実施形態に係る小梁端接合構造の施工工程を示す図である。
【図４】本発明の第２の実施形態に係る小梁端接合構造を示す図である。
【発明を実施するための形態】
【００１１】
以下に添付図面を参照しながら、本発明の好適な実施形態について詳細に説明する。なお、本明細書および図面において、実質的に同一の機能構成を有する構成要素については、同一の符号を付することにより重複説明を省略する。
【００１２】
（第１の実施形態）
図１〜図３は、本発明の第１の実施形態に係る小梁端接合構造の施工工程を示す図である。まず、図１に示すように、Ｈ形鋼で構成される大梁１のウェブ１１およびフランジ１２，１３に溶接されたシアプレート２と、Ｈ形鋼で構成され大梁１に交差する方向に延びる小梁３のウェブ３１の端部とを、高力ボルト４１を用いてボルト接合する。これによって、シアプレート２は、大梁１と小梁３とを相互に連結する。小梁３のウェブ３１には、高力ボルト４１を用いたシアプレート２とのボルト接合のためのボルト孔３１１と、後述する補強プレートのボルト接合のためのボルト孔３１２とが形成されている。
なお、大梁１および小梁３は、Ｈ形断面を有するものであればＨ形鋼には限られず、例えばＨ形断面を有する溶接部材で構成されてもよい。
【００１３】
次に、図２に示すように、大梁１および小梁３の上にコンクリート床スラブ５を形成する。本実施形態において、コンクリート床スラブはデッキ合成スラブであり、コンクリート５１と、鉄筋５２と、デッキプレート５３と、スタッド５４とを含む。具体的には、大梁１および小梁３の上にデッキプレート５３を載置し、デッキプレート５３を貫通してスタッド５４を立設した上で、鉄筋５２を配置し、コンクリート５１を打設する。これによって、コンクリート床スラブ５の自重が小梁３にかかる一方で、コンクリート５１が硬化した後はスタッド５４を介して小梁３がコンクリート床スラブ５に接合されるため、コンクリート床スラブ５にも小梁３の端部に生じる曲げモーメントが伝達される。
【００１４】
次に、図３に示すように、小梁３のウェブ３１に、高力ボルト４２を用いて補強プレート６をボルト接合する。本実施形態においては、補強プレート６は、正面視において略矩形状（図３に示すものの場合は略正方形状）の板体状に形成されていて、この補強プレートの周端面をなす４面の端面が小梁３のウェブ３１の略上下方向および略材軸方向にそれぞれ向いた状態で、複数の高力ボルト４２によって小梁３のウェブ３１のウェブ面に位置不動に接合される。
【００１５】
このとき、補強プレート６の４つの端面のうち、大梁１側の方向に向く端面６１（図中、大梁１の右側に位置する補強プレートの場合は左側の端面、大梁１の左側に位置する補強プレートの場合は右側の端面）は、シアプレート２の小梁３側の端面２１における下端側の面と対向した状態で面接触する。一方、シアプレート６の板面６２（図中では裏側）は小梁３のウェブ３１の板面に摩擦接合される。これによって、小梁３の端部に生じる曲げモーメントが、ウェブ３１から補強プレート６に伝達され、さらにシアプレート２に伝達される。
【００１６】
上記の例において、図１に示したように大梁１のウェブ１１と小梁３のウェブ３１とがシアプレート２を介して接合された段階では、シアプレート２とウェブ３１との間のボルト接合部がピン接合部の挙動を示すことが許容される。つまり、図２に示したようにコンクリート床スラブ５が形成された段階で、小梁３の端部はコンクリート床スラブ５の自重によって撓むことができ、この撓みによってシアプレート２と小梁３との間のボルト接合部にすべりが生じてもよい。従って、高力ボルト４１の数は、例えばボルト接合部のすべりを許容しない場合に比べて少なくてよい。
【００１７】
一方、図３に示したように、コンクリート床スラブ５が形成された後に取り付けられる補強プレート６は、コンクリート床スラブ５の自重によって小梁３が撓み、シアプレート２と小梁３との間のボルト接合部にすべりが生じた後に取り付けられる。従って、補強プレート６は、建物完成後の積載荷重や仕上げ材の重量などの荷重によって生じる鉛直荷重のために小梁３の端部に生じる曲げモーメントを伝達する一方で、コンクリート床スラブ５の自重によって生じる曲げモーメントには関与しない。従って、補強プレート６を小梁３のウェブ３１にボルト接合し、板面６２とウェブ３１の板面との間の摩擦接合を維持するための高力ボルト４２の数は、例えばコンクリート床スラブ５の自重によって生じる曲げモーメントも考慮する場合に比べて少なくてよい。
【００１８】
以上で説明したように、本実施形態によれば、大梁１および小梁３の間に曲げモーメントを伝達可能な接合部を形成するにあたり、小梁３のフランジ３２，３３を大梁１に予め溶接された部材に接合する必要はない。従って、本実施形態では高さ方向の建方誤差を比較的大きく許容することができる。また、本実施形態では、小梁３のフランジ３２，３３を大梁１に直接溶接する必要もないため、現場での溶接工程は不要であり、また水平方向の建方誤差を比較的大きく許容することができる。その一方で、本実施形態では、補強プレート６を取り付けることによって、小梁３の端部に生じる曲げモーメントがシアプレート２に伝達されるため、小梁３の変形が低減される。これによって、小梁３の断面を小さくして軽量化することが可能になる。
【００１９】
また、補強プレート６を、大梁１および小梁３の上にコンクリート床スラブ５を形成した後に取り付けることによって、補強プレート６がコンクリート床スラブ５の自重を除いた、建物完成後の積載荷重や仕上げ材の重量などの荷重によって生じる鉛直荷重のために小梁３の端部に生じる曲げモーメントだけを伝達すればよくなり、補強プレート６のサイズを小さくしたり、補強プレート６を小梁３のウェブ３１に摩擦接合する高力ボルト４２の数を少なくしたりすることができる。
【００２０】
なお、上記の例において、シアプレート２と小梁３のウェブ３１とは高力ボルト４１を用いてボルト接合されたが、既に述べたようにこのボルト接合部はピン接合部の挙動を示すことが許容されるため、高力ボルト４１に代えてせん断ボルトを用いてもよい。また、補強プレート６と小梁３のウェブ３１との間は摩擦接合されるが、補強プレート６の板面６２またはウェブ３１の板面にアルミ溶射などの表面処理を施すことによって摩擦係数を高め、補強プレート６のサイズをより小さくしたり、高力ボルト４２の数をより少なくしたりしてもよい。
【００２１】
また、上記の例において、補強プレート６は、端面６１がシアプレート２の端面２１の下端側に面接触するように配置されたが、補強プレート６の端面６１は、シアプレート２の端面２１のどの部分に面接触させてもよい。例えば、補強プレート６は、シアプレート２の端面２１と同じ高さを有し、端面６１がシアプレート２の端面２１の全体に面接触させてもよい。
ただし、小梁３の端部に生じる曲げモーメントが小梁３とコンクリート床スラブ５とを合わせた構造体に作用する曲げ応力として伝達されることを考慮すると、補強プレート６のサイズが同じ場合、構造体の中立軸からより離れた、小梁３の下面に近い側、すなわちシアプレート２の端面２１の下端側（例えばシアプレート２の端面２１の下半分等）に補強プレート６の端面６１を面接触させる方が、効果的に曲げモーメントを伝達することができる。このとき、補強プレート６は、その端面６１を、シアプレート２の端面２１の下端側の少なくとも一部に面接触させればよい。
また、小梁３の端部に生じる曲げモーメントをシアプレート２に安定的に伝達することができる範囲において、補強プレート６の端面６１の一部のみをシアプレート２の端面２１の下端側に面接触させるようにしてもよい。
さらに、上記の例においては、補強プレート６は、正面視において略正方形状の板体状のものとなっているが、補強プレートについては、その端面の少なくとも一部をシアプレートの端面に面接触させることができれば、正面視において略長方形状の板体状など、任意の形状とすることができる。
【００２２】
（第２の実施形態）
図４は、本発明の第２の実施形態に係る小梁端接合構造を示す図である。
本実施形態に係る小梁端接合構造の施工工程でも、上記の第１の実施形態で図１および図２を参照して説明した例と同様に大梁１に溶接されたシアプレート２を小梁３のウェブ３１の端部に高力ボルト４１を用いてボルト接合し、大梁１および小梁３の上にコンクリート床スラブ５を形成する。
【００２３】
次に、図４に示すように、シアプレート２に、高力ボルト４３を用いて補強プレート７をボルト接合する。本実施形態において、補強プレート７は、正面視において縦長の略矩形状の板体状に形成されていて、この補強プレートの周端面をなす４面の端面がシアプレート２の略上下方向および小梁３と接合される方向（図４中の略左右方向）にそれぞれ向いた状態で、複数の高力ボルト４３によって、シアプレート２における大梁１側の位置に接合される。
このとき、補強プレート７の４つの端面のうち、小梁３２側の方向に向く端面７１（図４中、大梁１の右側のシアプレートに配設される補強プレートの場合は右側の端面、大梁１の左側のシアプレートに配設される補強プレートの場合は左側の端面）は、小梁３のウェブ３１のシアプレート２側（大梁１側）の端面３１３における下端側の面と対向した状態で面接触する。一方、補強プレート７の板面７２は、シアプレート２の板面（図中では裏側）に摩擦接合される。これによって、小梁３の端部に生じる曲げモーメントが、ウェブ３１から補強プレート７に伝達され、さらにシアプレート２に伝達される。
なお、本実施形態において、シアプレート２には、補強プレート７のボルト接合のためのボルト孔２２が形成されている。
【００２４】
本実施形態でも、第１の実施形態と同様に、コンクリート床スラブ５が形成された後に取り付けられる補強プレート７は、コンクリート床スラブ５の自重によって小梁３が撓み、シアプレート２と小梁３との間のボルト接合部にすべりが生じた後に取り付けられる。従って、補強プレート７は、建物完成後の積載荷重や仕上げ材の重量などの荷重によって生じる鉛直荷重のために小梁３の端部に生じる曲げモーメントを伝達する一方で、コンクリート床スラブ５の自重によって生じる曲げモーメントには関与しない。従って、補強プレート７をシアプレート２にボルト接合し、板面７２とシアプレート２の板面との間の摩擦接合を維持するための高力ボルト４３の数は、例えばコンクリート床スラブ５の自重によって生じる曲げモーメントも考慮する場合に比べて少なくてよい。
【００２５】
本実施形態によれば、第１の実施形態と同様に、大梁１および小梁３の間に曲げモーメントを伝達可能な接合部を形成するにあたり、小梁３のフランジ３２，３３を大梁１に予め溶接された部材に接合したり、大梁１に直接溶接したりする必要がない。従って、本実施形態では、建方誤差を比較的大きく許容することができ、また現場での溶接工程が不要である。その一方で、本実施形態でも、補強プレート７を取り付けることによって、小梁３の端部に生じる曲げモーメントがシアプレート２に伝達されるため、小梁３の断面を小さくして軽量化することが可能になる。
【００２６】
また、補強プレート７を、大梁１および小梁３の上にコンクリート床スラブ５を形成した後に取り付けることによって、第１の実施形態の場合と同様に補強プレート７のサイズを小さくしたり、補強プレート７をシアプレート２に摩擦接合する高力ボルト４３の数を少なくしたりすることができ、大梁１のウェブ１１と小梁３のウェブ３１との間の限られた空間に補強プレート７を収めることが可能になる。第１の実施形態と同様に、高力ボルト４１に代えてせん断ボルトを用いたり、補強プレート７の板面７２またはシアプレート２の板面にアルミ溶射などの表面処理を施すことによって摩擦係数を高めたりしてもよい。
【００２７】
また、上記の例において、補強プレート７は、シアプレート２に重複する範囲内で、端面７１がウェブ３１の端面３１３の下端側に面接触するように配置されたが、補強プレート７の端面７１は、ウェブ３１の端面３１３のどの部分に面接触してもよい。例えば、補強プレート７は、ウェブ３１に重複する部分のシアプレート２と同じ高さを有し、端面７１がシアプレート２に重複する範囲内でウェブ３１の端面３１３の全体に面接触してもよい。
ただし、第１の実施形態と同様に、小梁３の端部に生じる曲げモーメントが小梁３とコンクリート床スラブ５とを合わせた構造体に作用する曲げ応力として伝達されることを考慮すると、シアプレート２に重複する範囲内でウェブ３１の端面３１３の下端側に補強プレート７の端面７１を面接触させる方が、効果的に曲げモーメントを伝達することができる。このとき、補強プレート７は、その端面７１を、小梁３のウェブ３１の端面３１３の下端側の少なくとも一部に面接触させるようにしてもよい。
また、小梁３の端部に生じる曲げモーメントをシアプレート２に安定的に伝達することができる範囲において、補強プレート７の端面７１の一部のみを、小梁３のウェブ３１の端面３１３の下端側に面接触させるようにしてもよい。
さらに、上記の例においては、補強プレート７は、正面視において縦長の略長方形状の板体状のものとなっているが、補強プレートについては、その端面の少なくとも一部をシアプレートの端面に面接触させることができれば、正面視において略正方形状等の板体状など、任意の形状とすることができる。
【００２８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変形例または修正例に想到し得ることは明らかであり、これらについても、当然に本発明の技術的範囲に属するものと了解される。
【符号の説明】
【００２９】
１…大梁、２…シアプレート、３…小梁、５…コンクリート床スラブ、６…補強プレート、７…補強プレート。
【図１】
2019190137.tif 000003
【図２】
2019190137.tif 000004
【図３】
2019190137.tif 000005
【図４】
2019190137.tif 000006